(57)【特許請求の範囲】
【請求項１】
細長い気密なガラスバルブ、ガラスバルブの両端部に封装された一対の電極、ガラスバルブの内面側に形成された蛍光体層およびガラスバルブ内に封入された放電媒体を備えてなる発光管と；
発光管をその周囲に間隙を形成して包囲しかつ少なくとも一端が発光管のガラスバルブの一端部とはんだガラスにより封着されたガラス外管と；
を具備していることを特徴とする多重管形蛍光ランプ。
【請求項２】
発光管およびガラス外管は、それらの両端がはんだガラスにより封着されていることを特徴とする請求項１記載の多重管形蛍光ランプ。
【請求項３】
発光管およびガラス外管は、それらの一端がはんだガラスにより封着され、他端が発光管およびガラス外管のいずれか一方または両方のガラス溶着により封着されていることを特徴とする請求項１記載の多重管形蛍光ランプ。
【請求項４】
発光管は、そのガラスバルブがはんだガラスにより封着されていることを特徴とする請求項１ないし３のいずれか一記載の多重管形蛍光ランプ。
【請求項５】
発光管およびガラス外管の間の空間は、発光管の内部より圧力が小さいことを特徴とする請求項１ないし４のいずれか一記載の多重管形蛍光ランプ。
【請求項６】
発光管は、外径が６ｍｍ以下、肉厚１ｍｍ以下であり；
ガラス外管は、外径が８ｍｍ以下、肉厚１ｍｍ以下である；
ことを特徴とする請求項１ないし５のいずれか一記載の多重管形蛍光ランプ。
【請求項７】
発光管は、外径が４ｍｍ以下、肉厚が０．１〜０．７ｍｍ、全長が３０〜３００ｍｍであり；
ガラス外管は、外径が６ｍｍ以下、肉厚が０．１〜０．７ｍｍ、全長が３０〜３００ｍｍである；
ことを特徴とする請求項１ないし６のいずれか一記載の多重管形蛍光ランプ。
【請求項８】
照明装置本体と；
照明装置本体に配設された請求項１ないし７のいずれか一記載の多重管形蛍光ランプと；
を具備していることを特徴とする照明装置。
【発明の詳細な説明】
【０００１】
【発明の属する技術分野】
本発明は発光管の周囲にガラス外管を配設した多重管形蛍光ランプに関する。
【０００２】
【従来の技術】
図９は、従来の２重管形蛍光ランプの断面図である。
【０００３】
上記従来技術は、実公平４−５２９３２号公報に記載されているものである。図において、１０１はガラス製の外管、１０４はガラス製の気密封止された封体管であり、これら外管１０１および封体管１０４と後述の保持材１０６、１０６により二重管構造が構成される。外管１０１の内壁と封体管１０４の外壁との間に１〜１０ｍｍ程度の間隔で封体管１０４の外壁を囲む空隙Ｓが形成されるよう外管１０１は封体管１０４を囲繞し、これら両者はそれぞれの両端部において断熱性の保持材１０６、１０６により保持されている。また、封体管１０４の端部１４１、１４１がそれそぞれ保持材１０６、１０６に埋設固定されるとともにこれらの保持材１０６、１０６がそれぞれ外管１０１の端部１１１、１１１に気密に嵌着されて外管１０１が気密封止され、封体管１０４と外管１０１と保持材１０６、１０６により二重管構造が構成されている。前記空隙Ｓは好ましくは減圧されて真空にされ、この場合には封体管１０４と外管１０１との断熱性の一層の向上を図ることができると述べられている。前記封体管１０４の内壁面には蛍光膜１４２が設けられており、ランプの全長Ｌが１２０ｍｍ以下、消費電力が２Ｗ以下であり、かつ封体管１０４の外径ｄが６ｍｍ以下である。外管１０１の外径Ｄは好ましくは２０ｍｍ以下とされている。この二重管形蛍光ランプは液晶バックライトなどに用いられる。
【０００４】
なお、図中１０２はフィラメント電極、１０３はリード線、１０５は水銀含浸合金である。
【０００５】
上述した従来技術によれば、消費電力が２Ｗ以下であっても、二重管であるから、比較的低温雰囲気においても始動時に所要の温度上昇が得られるために、光束立ち上がりは外管を有さない蛍光ランプに比べて優れている。
【０００６】
【発明が解決しようとする課題】
しかしながら、上記従来技術においては、封体管１０４と外管１０１との両端部を断熱性の保持材１０６により、気密に封止しようとするものであるが、断熱性にして気密性が良好であり、しかもガラスに対する濡れ性の良好な材料を工業的規模において、比較的安価に得ることが困難である。
【０００７】
したがって、従来技術においては長期間にわたって外管と封体管との間の気密性を維持することが困難であり、さらに製造工数も多く安価に提供することができないという問題がある。
【０００８】
本発明は、発光管の両端部にガラス外管の両端部を簡単な構造で固定することができ、しかも両者間の気密性が良好で、かつガラス外管の発光管への溶着時に発光管およびガラス外管が不所望に位置ずれおよび変形しない、特に液晶バックライトなどコンパクトな照明装置用として好適な多重管形蛍光ランプおよびこれを用いた照明装置を提供することを主な目的とする。
【０００９】
【課題を達成するための手段】
請求項１の発明の多重管形蛍光ランプは、細長い気密なガラスバルブ、ガラスバルブの両端部に封装された一対の電極、ガラスバルブの内面側に形成された蛍光体層およびガラスバルブ内に封入された放電媒体を備えてなる発光管と；発光管をその周囲に空間を形成して包囲しかつ少なくとも一端が発光管のガラスバルブの端部とはんだガラスにより封着されて一体化されたガラス外管と；を具備していることを特徴としている。
【００１０】
本発明および以下の各発明において、特に指定しない限り用語の定義および技術的意味は次による。
【００１１】
まず、発光管について説明する。
【００１２】
ガラスバルブについて
ガラスバルブは、ソーダライムガラス、鉛ガラスなどの軟質ガラスが好適であるが、要すればホウ珪酸ガラスなどの硬質ガラスであってもよい。また、断面形状は、通常円形にするが、要すれば非円形たとえば楕円形その他任意の断面形状であることを許容する。さらに、長手方向の形状は、直管はもとより、環形、半円形、Ｌ字形、Ｕ字形、Ｗ字形など所望の形状にすることができる。
【００１３】
本発明の多重管形蛍光ランプは、どのような用途の蛍光ランプにも適用してその期待する作用効果を発揮することができるので、用途は限定されない。したがって、発光管を構成するガラスバルブの外径および全長は任意に設定することができる。しかし、本発明は液晶表示装置などのバックライト、ＯＡ機器の読取および車載計器照明などに用いられる比較的細長でコンパクトな蛍光ランプにおいて格別顕著な作用効果を発揮する。そして、このような比較的細長でコンパクトな蛍光ランプの場合、本発明においては、発光管は、一般的には外径６ｍｍ以下好ましくは４ｍｍ以下、最適には３ｍｍ以下である。また、肉厚は一般的に１ｍｍ以下、好ましくは０．１〜０．７ｍｍ、最適には０．３ｍｍ程度である。さらに、全長は、一般的には任意長さとすればよいが、好ましくは３０〜３００ｍｍ、最適には５０〜２５０ｍｍである。
【００１４】
電極について
電極は、上述のように蛍光ランプとしての用途が限定されないから、用途に応じて冷陰極および熱陰極のいずれか適当な方式の電極を選定することができる。しかし、比較的細長でコンパクトな蛍光ランプに本発明を適用する場合は、一般的に冷陰極を用いるのがよいが、本発明の性質から熱陰極を除外するものではないことを理解できるであろう。
【００１５】
蛍光体層について
蛍光体層は、ガラスバルブの内面に直接形成してもよいし、たとえば保護膜などを介して間接的に形成してもよい。また、使用する蛍光体はその用途に応じて任意所望のものを用いればよいが、たとえば読取用の蛍光ランプの場合は、希土類のりん酸塩蛍光体（ＬａＰＯ4：Ｃｅ3+、Ｔｂ3+）のような単色発光蛍光体またはこれを含んだ蛍光体、バックライトおよび車載計器照明用の多重管形蛍光ランプの場合は、３波長発光形蛍光体またはハロりん酸塩蛍光体などの白色系の発光色の蛍光体を用いることができる。
【００１６】
放電媒体について
放電媒体は、水銀および希ガスたとえばアルゴンが多くの場合に使用されるが、水銀を用いないで希ガスとしてキセノンガスのみを用いて、キセノンガス放電による紫外線発光によって蛍光体を励起させるようにすることができる。この場合、低温時の光束立ち上がりの問題は殆どないが、発光管の機械的保護のために本発明の多重管蛍光ランプは効果的である。
【００１７】
また、キセノンガスおよび水銀を封入してキセノンガス放電および水銀蒸気放電の両者を生起させることによって、それぞれの波長をもった紫外線を発生させてもよい。この場合は、低温時の光束立ち上がりの問題はそれなりに改善されるが、さらに本発明の多重管形蛍光ランプによる光束立ち上がり改善効果を発揮するとともに、機械的強度向上の作用効果も加わる。
【００１８】
さらにまた、水銀とともに封入される希ガスとしてはアルゴン、ネオンもしくはクリプトンの単体、またはアルゴンおよびネオン、アルゴン、ネオンおよびヘリウムのそれぞれの混合ガスを用いれば、ペニング効果による始動性の改善も得られる。
【００１９】
水銀は、純水銀を直接封入してもよいし、アマルガムの形で封入してもよい。
【００２０】
次に、ガラス外管について説明する。
【００２１】
ガラス外管は、ガラスバルブと同一材質のガラスが好ましいが、熱膨張率が大きく相違していないで、しかもガラスバルブとの間の加工性に支障がなければ、異なったガラス材料を用いてもよい。
【００２２】
発光管の説明において述べたように本発明は特定用途に限定されないから、ガラス外管も蛍光ランプの用途に応じて所望の寸法に設定することができるが、特に細長でコンパクトな蛍光ランプにおいては、ガラス外管は、一般的には外径８ｍｍ以下、好ましくは６ｍｍ以下、最適には４ｍｍ以下である。また、肉厚は、一般的には１ｍｍ以下、好ましくは０．１〜０．７ｍｍ、最適には０．３ｍｍ程度である。さらに、全長は、一般的には任意長さとすればよいが、好ましくは３０〜３００ｍｍ、最適には５０〜２５０ｍｍである。
【００２３】
ガラス外管は、発光管に対して一般的には同心的位置関係において溶着されるが、発光管の周囲にガラス外管によって空隙が形成されていればよく、したがって偏心していても差し支えない。極端な場合、発光管の周面の一部がガラス外管に接触していても基本的には所期の作用効果が得られるので、これも許容される。なお、ガラス外管によって発光管の周囲に形成される間隙はその存在がわずかに分かる程度に小さくても所期の作用効果を奏する。
【００２４】
また、本発明においては、ガラス外管は任意数をたとえば同心的に用いることができる。
【００２５】
さらに、ガラス外管内は排気して減圧雰囲気にしてもよいし、真空度を高くして１００Ｐａ以下のいわゆる高真空にすることができる。
【００２６】
さらにまた、ガラス外管内にアルゴン、クリプトン、キセノン、ネオンなどの希ガス、水銀および水蒸気などを単体または任意に組み合わせて封入することもできる。
【００２７】
さらに、ガラス外管と発光管との封着について説明する。
【００２８】
ガラス外管と発光管のガラスバルブとのはんだガラスによる封着とは、両者の間に溶融し、固化したはんだガラスが介在していることによって、発光管とガラス外管とが気密に封着されていることである。この場合、ガラス外管および発光管ははんだガラスと溶着していてもよいが、変形していないことが好ましい。しかし、蛍光ランプとしての特性に影響を与えない程度の変形は止むを得ないし、また不所望でない変形は問題にならないから許容される。
【００２９】
はんだガラスは、低融点ガラスで、いわゆるフリットガラスを含む概念であり、被封着材料であるガラス外管および発光管と熱膨張係数がよく合っていて、封着温度が被封着材料であるガラス外管および発光管の耐熱温度より低いガラスである。
【００３０】
また、はんだガラスには非晶質のものと結晶性のものとがあるが、本発明においてはそのいずれも適合する。
【００３１】
はんだガラスによる封着は、ガラス外管の両端に形成するだけでなく、一端のみでもよい。この場合、他端はたとえばガラス外管および発光管のいずれか一方または両方を直接溶融させて気密に封着すればよい。
【００３２】
はんだガラスによって発光管およびガラス外管の端部を封着する方法は任意であるが、たとえば以下の方法によることができる。
【００３３】
すなわち、まず発光管およびガラス外管の端部を挿入し得る銅製の金型を予め用意して、金型内にはんだガラスの粉末を所定量を入れる。
【００３４】
次に、発光管をガラス外管の内部に挿入した状態で真空チャンバー内に吊持するとともに、上記の状態の金型も真空チャンバー内に収容する。
【００３５】
次に、真空チャンバー内を真空してから、金型を電気加熱してはんだガラスを溶融状態にする。
【００３６】
そうして、はんだガラスが溶融したら、発光管およびガラス外管を金型内に挿入すると、ガラス外管と発光管との端部において、両者の間の空間にはんだガラスが侵入するので、徐冷後に真空チャンバーから取り出す。このようにして、ガラス外管と発光管との一端部をはんだガラスによって、位置ずれを生じることなく確実に封着することができる。
【００３７】
次に、発光管とガラスガラス外管との封着位置について説明する。
【００３８】
ガラス外管の発光管への封着位置を発光管の封着部の先端より後退した位置にすることができる。この構成は、ガラス外管と発光管とを最初に封着する側の端部に適用するのに適している。
【００３９】
すなわち、封着しようとする端部をはんだガラスを用いて最初に封着する場合には、ガラス外管内を真空中でこれを行うので、発光管が軟化すると、発光管が膨れてガラス外管の内面に接触してしまう。
【００４０】
上記とは反対に、ガラス外管を大気中で直接加熱して封着する場合、発光管が軟化すると、発光管は吸い込まれて内部リード線や電極に接触しやすく、これにより、発光管がクラックしやすい。
【００４１】
これに対して、前記のようにガラス外管を発光管の封着部の先端より後退した位置において発光管と封着させると、発光管が膨れたり、吸い込まれるようなことは少ない。
【００４２】
また、ガラス外管の発光管への封着位置を発光管の封着部より中央側の部分にすることもできる。この構成は、最後に封着する側の端部に適用するのに適している。
【００４３】
すなわち、封着しようとする端部を最後に封着する場合、ガラス外管内は排気して真空にするか、所要により希ガスなどを極めて低い圧力で封入しているので、たとえ発光管が軟化していてもガラス外管の溶着部が大気圧によって発光管側へ押されるため、ガラス外管および発光管が膨れることはない。
【００４４】
この場合、ガラス外管の発光管への封着部の後端は、発光管の封着部に対向する位置にあってもよいし、発光管の封着部より中央側に位置していてもよい。
【００４５】
さらに、ガラス外管の発光管への封着位置を発光管の封着部と揃えてもよい。
【００４６】
次に、本発明の作用について説明する。
【００４７】
ガラスバルブおよびガラス外管の端部を、はんだガラスにより封着して一体化したことにより、両者を不所望に位置ずれおよび変形させることなく、所定の位置関係を確実に保持しながら十分気密に封止することができる。
【００４８】
しかも、発光管およびガラス外管の接続部は、はんだガラスを介しての封着によって機械的強度が向上するから、相対的に肉薄のガラスバルブを用いることもできる。
【００４９】
また、ガラス外管内をたとえ排気しなくてもガラス外管を有することにより、発光管の熱放散はかなり少なくなり、保温作用によって低温雰囲気中における始動時の光束立ち上がりは良好になる。もちろん、ガラス外管内を減圧ないし真空にすることにより、ガラス外管内の気体による対流作用が大幅に減少するか、なくなるので、より良好な光束立ち上がり特性にすることができる。
【００５０】
請求項２の発明の多重管形蛍光ランプは、請求項１記載の多重管形蛍光ランプにおいて、発光管およびガラス外管は、それらの両端がはんだガラスにより封着されていることを特徴としている。
【００５１】
請求項１において説明したように一端部をはんだガラスによって封着した後、他端側を同様に封着するには、真空チャンバーから取り出したら、ガラス外管および発光管を倒立させて、再び上記と同様にすればよい。この場合、一つの真空チャンバー内に最初に封着するワークと最後に封着するワークとを混在させてもよい。
【００５２】
このようにして、得られた多重管形蛍光ランプは、ガラス外管と発光管との間の空間は真空チャンバー内と同一の真空状態である。
【００５３】
ガラス外管内を所望の圧力にするには、ガラス外管および発光管の他端部を溶融はんだガラス内に挿入する前に真空チャンバー内を適当な圧力にすればよい。
【００５４】
請求項３の発明の多重管形蛍光ランプは、請求項１記載の多重管形蛍光ランプにおいて、発光管およびガラス外管は、それらの一端がはんだガラスにより封着され、他端が発光管およびガラス外管のいずれか一方または両方のガラス溶着により封着されていることを特徴としている。
【００５５】
本発明においては、ガラス外管の他端部を簡単な方法で発光管の他端部に封着することができる。
【００５６】
すなわち、ガラス外管および発光管の一端部を封着した後、ガラス外管内を排気して真空状態にしておいて、またはガラス外管内に所望の気体を大気圧より低い圧力で封入してから、ガラス外管を仮封止する。
【００５７】
次に、ガラス外管の発光管の端部に対向する部分を外側から加熱すると、やがてガラス外管が軟化する。ガラス外管内は圧力が大気圧より低いから、軟化するにしたがって大気圧に押されて発光管に押し付けられ、さらに加熱すると、溶融して発光管に封着される。
【００５８】
そうして、本発明においては、はんだガラスによって封着する一端を最初に形成するのに適している。
【００５９】
すなわち、ガラス外管および発光管をはんだガラスを用いて最初に封着することにより、ガラス外管と発光管とを位置ずれなく固定できるので、他端を直接溶融して封着しても位置ずれが生じにくい。
【００６０】
請求項４の発明の多重管形蛍光ランプは、請求項１ないし３のいずれか一記載の多重管形蛍光ランプにおいて、発光管は、そのガラスバルブがはんだガラスにより封着されていることを特徴としている。
【００６１】
本発明においては、発光管をはんだガラスを用いて封着しているので、発光管の封着時における不所望な電極の位置ずれを防止することができる。
【００６２】
請求項５の発明の多重管形蛍光ランプは、請求項１ないし４のいずれか一記載の多重管形蛍光ランプにおいて、発光管およびガラス外管の間の空間は、発光管の内部より圧力が小さいことを特徴としている。
【００６３】
ガラス外管と発光管との間の空間の圧力を上記のように構成することにより、発光管をガラス外管によって断熱的に包囲することができ、これにより低温時の光束立ち上がり特性を改善する。
【００６４】
ガラス外管内の圧力を、発光管内の圧力より低いという条件の中で適当な圧力に設定することにより、上記のように低温時の光束立ち上がり特性を改善するとともに、発光管の温度過昇を防止して光束の飽和を抑制することができる。
【００６５】
請求項６の発明の多重管形蛍光ランプは、請求項１ないし５のいずれか一記載の多重管形蛍光ランプにおいて、発光管は、外径が６ｍｍ以下、肉厚１ｍｍ以下であり；ガラス外管は、外径が８ｍｍ以下、肉厚１ｍｍ以下である；ことを特徴としている。
【００６６】
本発明は、液晶などのバックライト、読取および車載計器照明などの用途として用いられるような細長くてコンパクトな蛍光ランプとして一般的な発光管およびガラス外管のサイズを規定している。
【００６７】
請求項７の発明の多重管形蛍光ランプは、請求項１ないし６のいずれか一記載の多重管形蛍光ランプにおいて、発光管は、外径が４ｍｍ以下、肉厚が０．１〜０．７ｍｍ、全長が３０〜３００ｍｍであり；ガラス外管は、外径が６ｍｍ以下、肉厚が０．１〜０．７ｍｍ、全長が３０〜３００ｍｍである；ことを特徴としている。
【００６８】
本発明は、請求項６に比較してさらに好ましい範囲を規定している。
【００６９】
請求項８の発明は、照明装置本体と；照明装置本体に配設された請求項１ないし７のいずれか一記載の多重管形蛍光ランプと；を具備していることを特徴としている。
【００７０】
本発明の照明装置は、既述のように先行する請求項の多重管形蛍光ランプが用途を限定されないのと同様な理由により、用途は限定されない。たとえば一般照明用の照明器具などを含む。しかし、細長くてコンパクトな多重管形蛍光ランプを用いる場合は、一般照明用の照明器具であってもよいが、液晶表示装置などのバックライト装置、画像形成装置の画像読取装置および車載用計器の照明装置などに適応する。
【００７１】
【発明の実施の形態】
以下、本発明の実施の形態を図面を参照して説明する。
【００７２】
図１は、本発明の多重管形蛍光ランプの第１の実施形態を示す一部切欠拡大断面図である。
【００７３】
図において、１は発光管、２はガラス外管、３ははんだガラスである。
【００７４】
発光管１は、細長い気密なガラスバルブ１ａ、ガラスバルブ１ａの両端部に封装された冷陰極形の一対の電極１ｂ、電極１ｂからガラスバルブ１ａの封着部１ｅを貫通して導出されたリード線１ｃ、ガラスバルブ１ａの内面に形成された蛍光体層１ｄならびにガラスバルブ１ａ内に封入した放電媒体として水銀およびアルゴンを主体とする希ガスからなる。発光管１は、ガラスバルブ１ａが外径２．４ｍｍ、肉厚０．３ｍｍである。
【００７５】
ガラス外管２は、外径３．６ｍｍ、肉厚０．３ｍｍであり、発光管１ａと同心的な位置関係においてその両端部が発光管１のガラスバルブ１ａの両端部にはんだガラス３によって発光管１の両端部に封着されている。
【００７６】
そうして、得た多重管蛍光ランプの全長は２００ｍｍである。
【００７７】
図２は、本発明の多重管形蛍光ランプの第２の実施形態を示す一部切欠拡大断面図である。
【００７８】
図において、図１と同一部分には同一符号を付して説明は省略する。
【００７９】
本実施形態は、ガラス外管２の図における左側の一端部がはんだガラス３により発光管１と封着され、右側の他端部がガラス外管２を溶融させて直接発光管１と封着した点において第１の実施形態と異なる。
【００８０】
図３は、図２に示す本発明の多重管形蛍光ランプの第２の実施形態の製造方法を示す断面図である。
【００８１】
まず、発光管１およびガラス外管２の図において下側の端部をはんだガラス２ａによって、図示しない真空チャンバー中で最初に封着する。
【００８２】
次に、図の（Ａ）に示すように最初に封着した端部を下にしてガラス外管２内を排気し、その後キセノンを約１００Ｐａになるようにガラス外管２内に封入する。
【００８３】
次に、図の（Ｂ）に示すように、はんだガラス４によってガラス外管２のやや上方の部分を仮封止する。
【００８４】
最後に、ガラス外管２の発光管１の他端部に対向する部分を外側からガスバーナで加熱して、図の（Ｃ）に示すように、ガラス外管２を発光管１の他端部に直接ガラス溶着により封着して、多重管形蛍光ランプ５を完成する。
【００８５】
図４は、本発明の多重管形蛍光ランプの第３の実施形態を示す要部拡大断面である。
【００８６】
図において、図１と同一部分には同一符号を付して説明は省略する。
【００８７】
本実施形態は、発光管１をはんだガラス６で封着している点において図１と異なる。
【００８８】
発光管１を封着するはんだガラス６は、相対的に溶融温度が高く、ガラス外管２を発光管１にガラス溶着するはんだガラス３は相対的に溶融温度が低いものを用いることにより、ガラス外管２のガラス溶着中に発光管１の気密性が阻害されないようにすることができる。
【００８９】
なお、１ｅはビードステムである。
【００９０】
図５は、本発明の多重管形蛍光ランプの第４の実施形態を示す要部拡大断面図である。
【００９１】
図において、図１と同一部分には同一符号を付して説明は省略する。
【００９２】
本実施形態は、ガラス外管２と発光管１との封着部すなわちはんだガラス３の先端３ａが発光管１の封着部１ｅの先端１ｅ１より後退した位置にある点において図１と異なる。
【００９３】
そうして、本実施形態によれば、ガラス外管２と発光管１との封着時に発光管１の変形が少なくなる。したがって、真空中または大気中で右右着しても発光管１の変形を少なくすることができる。
【００９４】
図６は、本発明の多重管形蛍光ランプの第５の実施形態を示す要部拡大断面図である。
【００９５】
図において、図１と同一部分には同一符号を付して説明は省略する。
【００９６】
本実施形態は、ガラス外管２と発光管１との封着部ｓの先端ｓ１が発光管１の封着部１ｅの先端１ｅ１より中央側に位置している点が異なる。
【００９７】
そうして、本実施形態はガラス外管２の最後に封着する方の端部に適用すると都合がよい。すなわち、ガラス外管２内の圧力が真空または発光管１内の圧力とほぼ同じ程度にしておけば、加熱し過ぎて発光管１が膨らんでも大気圧によってガラス外管２とともに押し戻されるから、不所望な変形とはならない。
【００９８】
図７は、本発明の照明装置の第１の実施形態を示す車載計器用の液晶表示装置の分解斜視図である。
【００９９】
図において、７はバックライトユニット、８は液晶表示部、９は液晶表示装置である。
【０１００】
バックライトユニット７は、透明アクリル樹脂製の導光体７ａ、導光体７ａの側方に配設した多重管形蛍光ランプ７ｂ、多重管蛍光ランプ７ｂを支持するとともに、包囲する反射板７ｃなどから構成されている。
【０１０１】
液晶表示部８は、バックライトユニット７の前面に配設される。
【０１０２】
そうして、バックライトユニット７および表示部８は車載計器用の液晶表示装置９を構成している。
【０１０３】
バックライトユニット７の作用については、多重管形蛍光ランプ７ｂを光源としていても本質的に変わらないし、またバックライトユニット７の作用は周知なので説明は省略する。
【０１０４】
図８は、本発明の照明装置の第２の実施形態を示す読取装置の概念的断面図である。
【０１０５】
図において、１０は読取装置、１０ａは多重管形蛍光ランプ、１０ｂは受光手段、１０ｃは信号処理装置、１０ｄは原稿載置面、１０ｅは以上の各構成要素を収納するケース、１０ｆは反射鏡である。
【０１０６】
読取装置は、複写機、イメージスキャナおよびファクシミリなどのＯＡ機器などに適応する。
【０１０７】
読取装置の作用については、多重管蛍光ランプ１０ａを光源としていても単管の蛍光ランプと本質的に変わらないし、また読取装置の作用は周知なので説明は省略する。
【０１０８】
【発明の効果】
請求項１ないし５の各発明によれば、ガラス外管および発光管の少なくとも一方の端部をはんだガラスによって封着することにより、ガラス外管および発光管の封着時の不所望な位置ずれおよび変形を少なくすることができるとともに、ガラス外管の両端部を簡単な構造で発光管に固定することができて、しかも両者間の気密性が良好であるから、長期間にわたって低温雰囲気中での始動時における光束立ち上げが良好な特に液晶バックライトユニットなどコンパクトな照明装置用として好適な多重管形蛍光ランプを提供することができる。
【０１０９】
請求項２の発明によれば、加えてガラス外管の両端をはんだガラスによって発光管の両端に封着したことにより、両端部における不所望な位置ずれおよび変形を少なくするとともに、最初側の封着のワークと最後側の封着のワークとを同時に真空チャンバー内で封着できる多重管形蛍光ランプを提供することができる。
【０１１０】
請求項３の発明によれば、加えてガラス外管の一端がはんだガラスにより封着され、他端が直接ガラス溶着によって封着されていることにより、一端を最初にはんだガラスで封着して位置ずれを少なくして他端側のガラス溶着を容易にして製造不良の少ない多重管形蛍光ランプを提供することができる。
【０１１１】
請求項４の発明によれば、加えて発光管の封着をはんだガラスによって封着することにより、電極の位置ずれを少なくした多重管形蛍光ランプを提供することができる。
【０１１２】
請求項５の発明によれば、加えてガラス外管内の圧力を発光管内の圧力より小さくしたことにより、低温時の光束立ち上がり特性を改善した多重管形蛍光ランプを提供することができる。
【０１１３】
請求項６の発明によれば、細長くてコンパクトな照明装置用として一般的な多重管形蛍光ランプを提供することができる。
【０１１４】
請求項７の発明によれば、加えて細長くてコンパクトな照明装置用として好ましい多重管形蛍光ランプを提供することができる。
【０１１５】
請求項８の発明によれば、請求項１ないし７の効果を有する照明装置を提供することができる。
【図面の簡単な説明】
【図１】本発明の多重管形蛍光ランプの第１の実施形態を示す一部切欠拡大断面図
【図２】本発明の多重管形蛍光ランプの第２の実施形態を示す一部切欠拡大断面図
【図３】図２に示す本発明の多重管形蛍光ランプの第２の実施形態の製造方法を示す断面図
【図４】本発明の多重管形蛍光ランプの第３の実施形態を示す要部拡大断面図
【図５】本発明の多重管形蛍光ランプの第４の実施形態を示す要部拡大断面図
【図６】本発明の多重管形蛍光ランプの第５の実施形態を示す要部拡大断面図
【図７】本発明の照明装置の第１の実施形態を示す車載計器用の液晶表示装置の分解斜視図
【図８】本発明の照明装置の第２の実施形態を示す読取装置の分解斜視図
【図９】縦来の２重管形蛍光ランプの断面図
【符号の説明】
１…発光管
１ａ…ガラスバルブ
１ｂ…電極
１ｃ…リード線
１ｄ…蛍光体層
１ｅ…封着部
２…ガラス外管
３…はんだガラス
【図１】
0003653561.tif 000002
【図２】
0003653561.tif 000003
【図３】
0003653561.tif 000004
【図４】
0003653561.tif 000005
【図５】
0003653561.tif 000006
【図６】
0003653561.tif 000007
【図７】
0003653561.tif 000008
【図８】
0003653561.tif 000009
【図９】
0003653561.tif 000010